(57)【要約】【課題】  緊急時に現在位置を把握し続けることが可能な携帯電話機を提供する。【解決手段】  携帯メール等により緊急処理を指定する特別なメッセージを受信すると、制御部は「緊急処理モード」に移行する。この「緊急処理モード」に移行すると、制御部は、ＧＰＳユニット等で当該携帯電話機の現在位置を検出し、これを上記特別なメッセージの発信元に送信する。電源がオフ操作された場合には、表示部やＬＥＤ等を消灯して、当該携帯電話機を、見かけ上は停止状態としたうえで、通信機能や位置検出機能は稼働し続けて現在位置の検出及び送信を継続して行う。これにより、電源がオフ操作した者に気付かれることなく、当該携帯電話機の現在位置を送信し続けることができ、当該携帯電話機の現在位置を監視しているユーザは、電源がオフ操作された場合でも、その監視している携帯電話機の現在位置を把握し続けることができる。【選択図】  図３
2006262255.tif 000002
【特許請求の範囲】
【請求項１】
無線通信手段で受信したメッセージが緊急モードへの移行を指定する特別なメッセージであるか否かを判別する判別手段としてコンピュータを機能させ、
コンピュータを上記判別手段として機能させることで、上記通信手段で受信したメッセージが緊急モードへの移行を指定する特別なメッセージであることが判別された場合、着信をユーザに報知する着信処理手段を停止制御する着信処理停止手段としてコンピュータを機能させ、
コンピュータを上記判別手段として機能させることで、上記通信手段で受信したメッセージが緊急モードへの移行を指定する特別なメッセージであることが判別された場合、現在位置の検出を行うように現在位置検出手段を制御する現在位置検出制御手段としてコンピュータを機能させ、
上記現在位置検出制御手段としてコンピュータを機能させることで上記現在位置検出手段により検出された現在位置の現在位置情報を、間欠的或いは連続的に送信するように上記無線通信手段を制御する情報送信制御手段としてコンピュータを機能させること
を特徴とする緊急処理プログラム。
【請求項２】
請求項１に記載の緊急処理プログラムであって、
コンピュータを上記判別手段として機能させることで、上記通信手段で受信したメッセージが緊急モードへの移行を指定する特別なメッセージであることが判別された場合、音声の集音を行うように音声集音手段を制御する音声集音制御手段としてコンピュータを機能させ、及び／又は、
コンピュータを上記判別手段として機能させることで、上記通信手段で受信したメッセージが緊急モードへの移行を指定する特別なメッセージであることが判別された場合、画像の撮像を行うように撮像手段を制御する撮像制御手段としてコンピュータを機能させ、
上記情報送信制御手段としてコンピュータを機能させた際に、上記現在位置の情報と共に、上記音声集音手段で集音された音声情報、及び／又は、上記撮像手段で撮像された画像情報を送信するように上記無線通信手段を制御すること
を特徴とする緊急処理プログラム。
【請求項３】
請求項１又は請求項２に記載の緊急処理プログラムであって、
コンピュータを上記判別手段として機能させることで、上記通信手段で受信したメッセージが緊急モードへの移行を指定する特別なメッセージであることが判別された場合、電源のオフ操作の有無を検出する電源オフ操作検出手段としてコンピュータを機能させ、
コンピュータを上記電源オフ操作検出手段として機能させることで、電源のオフ操作を検出した場合、少なくとも表示部を非表示状態とする非表示制御手段としてコンピュータを機能させ、
コンピュータを上記電源オフ操作検出手段として機能させることで、電源のオフ操作を検出した場合、少なくとも無線通信手段及び現在位置検出手段に対しては継続して電源供給を行う電源供給制御手段としてコンピュータを機能させること
を特徴とする緊急処理プログラム。
【請求項４】
請求項１から請求項３のうち、いずれか一項に記載の緊急処理プログラムであって、
コンピュータを上記判別手段として機能させることで、上記通信手段で受信したメッセージが緊急モードへの移行を指定する特別なメッセージであることが判別された場合、メイン電池の取り外しの有無を検出するメイン電池取り外し検出手段としてコンピュータを機能させ、
コンピュータを上記メイン電池取り外し検出手段として機能させることで、メイン電池の取り外しを検出した場合、少なくとも表示部を非表示状態とする非表示制御手段としてコンピュータを機能させ、
コンピュータを上記メイン電池取り外し検出手段として機能させることで、メイン電池の取り外しを検出した場合、上記電源供給制御手段としてコンピュータを機能させる際に、少なくとも無線通信手段及び現在位置検出手段に対してはバックアップ電池から継続して電源供給を行う上記電源供給制御手段としてコンピュータを機能させること
を特徴とする緊急処理プログラム。
【請求項５】
無線通信手段で受信したメッセージが緊急モードへの移行を指定する特別なメッセージであるか否かを判別する判別手段と、
上記判別手段により、上記通信手段で受信したメッセージが緊急モードへの移行を指定する特別なメッセージであることが判別された場合、着信をユーザに報知する着信処理手段を停止制御する着信処理停止手段と、
上記判別手段により、上記通信手段で受信したメッセージが緊急モードへの移行を指定する特別なメッセージであることが判別された場合、現在位置の検出を行うように現在位置検出手段を制御する現在位置検出制御手段と、
上記現在位置検出手段により検出された現在位置の現在位置情報を、間欠的或いは連続的に送信するように上記無線通信手段を制御する情報送信制御手段と
を有する携帯端末装置。
【請求項６】
請求項５に記載の携帯端末装置であって、
上記判別手段により、通信手段で受信したメッセージが緊急モードへの移行を指定する特別なメッセージであることが判別された場合、音声の集音を行うように音声集音手段を制御する音声集音制御手段と、及び／又は、
上記判別手段により、上記通信手段で受信したメッセージが緊急モードへの移行を指定する特別なメッセージであることが判別された場合、画像の撮像を行うように撮像手段を制御する撮像制御手段とを有し、
上記情報送信制御手段は、上記現在位置の情報と共に、上記音声集音手段で集音された音声情報、及び／又は、上記撮像手段で撮像された画像情報を送信するように上記無線通信手段を制御すること
を特徴とする携帯端末装置。
【請求項７】
請求項５又は請求項６に記載の携帯端末装置であって、
上記判別手段により、上記通信手段で受信したメッセージが緊急モードへの移行を指定する特別なメッセージであることが判別された場合、電源のオフ操作の有無を検出する電源オフ操作検出手段と、
上記電源オフ操作検出手段により、電源のオフ操作が検出された場合、少なくとも表示部を非表示状態とする非表示制御手段と、
上記電源オフ操作検出手段により、電源のオフ操作が検出された場合、少なくとも無線通信手段及び現在位置検出手段に対しては継続して電源供給を行う電源供給制御手段とを有すること
を特徴とする携帯端末装置。
【請求項８】
請求項５から請求項７のうち、いずれか一項に記載の携帯端末装置であって、
上記判別手段により、上記通信手段で受信したメッセージが緊急モードへの移行を指定する特別なメッセージであることが判別された場合、メイン電池の取り外しの有無を検出するメイン電池取り外し検出手段と、
上記メイン電池取り外し検出手段によりメイン電池の取り外しが検出された場合、少なくとも表示部を非表示状態とする非表示制御手段と、
上記メイン電池取り外し検出手段により、メイン電池の取り外しが検出された場合、上記電源供給制御手段は、少なくとも無線通信手段及び現在位置検出手段に対してはバックアップ電池から継続して電源供給を行うこと
を特徴とする携帯端末装置。
【請求項９】
判別手段が、無線通信手段で受信したメッセージが緊急モードへの移行を指定する特別なメッセージであるか否かを判別するステップと、
上記メッセージの判別を行うステップで、上記通信手段で受信したメッセージが緊急モードへの移行を指定する特別なメッセージであることが判別された場合、着信処理停止手段が、着信をユーザに報知する着信処理手段を停止制御するステップと、
上記メッセージの判別を行うステップで、上記通信手段で受信したメッセージが緊急モードへの移行を指定する特別なメッセージであることが判別された場合、現在位置検出制御手段が、現在位置の検出を行うように現在位置検出手段を制御するステップと、
情報送信制御手段が、上記現在位置検出手段により検出された現在位置の現在位置情報を、間欠的或いは連続的に送信するように上記無線通信手段を制御するステップと
を有する緊急処理方法。
【発明の詳細な説明】
【技術分野】
【０００１】
本発明は、携帯電話機、ＰＨＳ電話機（Personal Handyphone System）、通信機能を有するＰＤＡ装置（Personal Digital Assistant）、無線通信機能を有するノート型のパーソナルコンピュータ装置等に適用して好適な緊急処理プログラム、携帯端末装置及び緊急処理方法に関する。
【背景技術】
【０００２】
従来、所定の機能を遠隔操作可能な携帯電話機が知られている。例えば、特開平１０−１３６４６４号公報（特許文献１）には、メッセージを受信して自動的に電源供給を停止する携帯電話機が開示されている。この携帯電話機の場合、ユーザからの電源切断メッセージを受信すると、制御手段が、この電源切断メッセージを送信したユーザに対して、電源切断処理を行う旨の情報を返信し、この後、当該携帯電話機に対する電源の供給を停止制御する。これにより、携帯電話機の電源供給の停止を遠隔操作することが可能となっている。
【０００３】
また、特開２００２−７７４３８号公報（特許文献２）には、電子メッセージにより、携帯電話機の複数の機能を遠隔操作する携帯通信端末装置が開示されている。この携帯通信端末装置の場合、ユーザは、遠隔操作を行う携帯通信端末装置に対して、電子メッセージの所定の箇所に複数の機能のうち少なくとも１つ以上の機能を動作させるための所定の文字列からなる動作制御命令をテキストデータとして記載した電子メッセージを送信する。  携帯通信端末装置側では、この電子メッセージを受信すると、この受信した電子メッセージから、上記テキストデータとして記載されている動作制御命令を抽出し、この動作制御命令に対応する機能の動作を制御する。これにより、電源供給の停止のみならず、携帯通信端末装置の複数の機能の遠隔操作が可能となっている。
【０００４】
ここで、携帯電話機はメイン電源を投入すると、基地局を介してネットワーク上のセンターと通信することで、現在位置の位置登録を行う。この現在位置は、当該携帯電話機の移動に応じて更新されるため、携帯電話機の電源が投入されており、その携帯電話機が通信可能な状態であれば、このセンターに登録されている現在位置を調べることで、当該携帯電話機の現在位置を把握することが可能となる。
【０００５】
【特許文献１】特開平１０−１３６４６４号公報（第４頁：図１）
【特許文献２】特開２００２−７７４３８号公報（第１１頁〜第１４頁：図９）
【発明の開示】
【発明が解決しようとする課題】
【０００６】
しかし、携帯電話機は、電源が投入されており通信可能な状態であれば、上述のように当該携帯電話機の移動に応じてセンターに登録されている現在位置が更新されるため、該携帯電話機の現在位置を把握することが可能であるが、電源が切られてしまうと、その携帯電話機との通信ができない状態となるため、センターに登録されている現在位置も更新されないままとなる。このため、電源が切られている間に当該携帯電話機が移動すると、この電源が切られている間は、その携帯電話機の現在位置の把握が困難となる問題がある。
【０００７】
また、携帯電話機の電源を切られている間は、その携帯電話機との通信ができない状態となるため、上記特許文献１及び特許文献２に開示されている携帯電話機の遠隔操作も困難となる。
【０００８】
一例ではあるが、近年多発している誘拐事件において、このような問題が顕著となる。すなわち、最近では、子供の居場所を把握するために、子供に携帯電話機を所持させる親も多い。しかし、犯人も、誘拐した子供が携帯電話機を所持していることを懸念しており、誘拐した子供の居場所を捜査当局に特定され難くするために、誘拐した子供が所持している携帯電話機の電源を切ってしまう場合が多い。
【０００９】
このような場合、携帯電話機の現在位置（この場合は、その携帯電話機を所持している子供の現在位置）を特定することが困難となる。また、携帯電話機の電源を切られている間は、その携帯電話機との通信ができない状態となるため、子供の携帯電話機のメイン電源を遠隔操作で投入することも困難となる。従って、誘拐された子供が所持する携帯電話機のメイン電源が犯人により切られてしまった場合には、誘拐された子供の早期救出が困難となる。
【００１０】
本発明は、上述の課題に鑑みてなされたものであり、所定のメッセージを受信した後にメイン電源がオフ操作された場合、見かけ上、メイン電源がオフ操作された状態に移行したうえで、センターに対する位置登録動作等を継続して実行することで、メイン電源をオフ操作した者に気付かれることなく当該携帯電話機の現在位置を常時把握可能な状態とし、誘拐事件の早期解決等に貢献することができるような緊急処理プログラム、携帯端末装置及び緊急処理方法の提供を目的とする。
【課題を解決するための手段】
【００１１】
本発明に係る緊急処理プログラムは、上述の課題を解決するために、
無線通信手段で受信したメッセージが緊急モードへの移行を指定する特別なメッセージであるか否かを判別する判別手段としてコンピュータを機能させ、
コンピュータを上記判別手段として機能させることで、上記通信手段で受信したメッセージが緊急モードへの移行を指定する特別なメッセージであることが判別された場合、着信をユーザに報知する着信処理手段を停止制御する着信処理停止手段としてコンピュータを機能させ、
コンピュータを上記判別手段として機能させることで、上記通信手段で受信したメッセージが緊急モードへの移行を指定する特別なメッセージであることが判別された場合、現在位置の検出を行うように現在位置検出手段を制御する現在位置検出制御手段としてコンピュータを機能させ、
上記現在位置検出制御手段としてコンピュータを機能させることで上記現在位置検出手段により検出された現在位置の現在位置情報を、間欠的或いは連続的に送信するように上記無線通信手段を制御する情報送信制御手段としてコンピュータを機能させる。
【００１２】
また、本発明に係る携帯端末装置は、上述の課題を解決するための手段として、
無線通信手段で受信したメッセージが緊急モードへの移行を指定する特別なメッセージであるか否かを判別する判別手段と、
上記判別手段により、上記通信手段で受信したメッセージが緊急モードへの移行を指定する特別なメッセージであることが判別された場合、着信をユーザに報知する着信処理手段を停止制御する着信処理停止手段と、
上記判別手段により、上記通信手段で受信したメッセージが緊急モードへの移行を指定する特別なメッセージであることが判別された場合、現在位置の検出を行うように現在位置検出手段を制御する現在位置検出制御手段と、
上記現在位置検出手段により検出された現在位置の現在位置情報を、間欠的或いは連続的に送信するように上記無線通信手段を制御する情報送信制御手段と
を有する。
【００１３】
また、本発明に係る緊急処理方法は、上述の課題を解決するための手段として、
判別手段が、無線通信手段で受信したメッセージが緊急モードへの移行を指定する特別なメッセージであるか否かを判別するステップと、
上記メッセージの判別を行うステップで、上記通信手段で受信したメッセージが緊急モードへの移行を指定する特別なメッセージであることが判別された場合、着信処理停止手段が、着信をユーザに報知する着信処理手段を停止制御するステップと、
上記メッセージの判別を行うステップで、上記通信手段で受信したメッセージが緊急モードへの移行を指定する特別なメッセージであることが判別された場合、現在位置検出制御手段が、現在位置の検出を行うように現在位置検出手段を制御するステップと、
情報送信制御手段が、上記現在位置検出手段により検出された現在位置の現在位置情報を、間欠的或いは連続的に送信するように上記無線通信手段を制御するステップと
を有する。
【００１４】
このような本発明は、緊急モードへの移行を指定する特別なメッセージを受信した際に、緊急モードへ移行する。この緊急モードに移行すると、ユーザに対する着信の報知を停止すると共に、現在位置検出手段で現在位置の検出を行い、この検出された現在位置の現在位置情報を、間欠的或いは連続的に送信する。これにより、緊急時において、現在位置を報知し続けることができる。
【発明の効果】
【００１５】
本発明は、「特別なメッセージ」で遠隔操作的に「緊急処理モード」に移行させ、自動的に機器の現在位置等の情報を送信させることができる。このため、「特別なメッセージ」の送信元となるユーザは、該「特別なメッセージ」の着信先となるユーザの機器の現在位置等を、間欠的或いは連続的に把握可能とすることができる。
【００１６】
また、本発明は、緊急処理モード中に電源のオフ操作を検出した場合、少なくとも表示部を非表示状態とすると共に、無線通信手段及び現在位置検出手段に対しては継続して電源供給を行う。これにより、見かけ上は、電源がオフ操作された状態としたうえで、通信機能や情報収集機能を稼働させて情報の送信を継続することができる。このため、電源をオフ操作した者に気付かれることなく、上記現在位置等の情報を送信し続けることができ、例えば当該携帯電話機を所持した子供の誘拐事件の早期解決等に大きく貢献することができる。
【００１７】
また、本発明は、緊急処理モード中にメイン電池取り外しを検出した場合、少なくとも表示部を非表示状態とすると共に、無線通信手段及び現在位置検出手段に対してはバックアップ電池から継続して電源供給を行う。これにより、見かけ上は、メイン電池取り外された状態としたうえで、通信機能や情報収集機能を稼働させて情報の送信を継続することができる。このため、メイン電池取り外した者に気付かれることなく、上記現在位置等の情報を送信し続けることができ、例えば当該携帯電話機を所持した子供の誘拐事件の早期解決等に大きく貢献することができる。
【発明を実施するための最良の形態】
【００１８】
本発明は、例えばＰＤＣ方式（PDC：Personal Digital Cellular）、ＣＤＭＡ方式（CDMA：Code Division Multiple Access）、Ｗ−ＣＤＭＡ方式（W-CDMA：Wideband-Code Division Multiple Access）、或いはＧＳＭ方式（GSM：Global System for Mobile Communications）等の携帯電話機に適用することができる。
【００１９】
［携帯電話機の構成］
この本発明の実施の形態となる携帯電話機は、図１に示すように当該携帯電話機のユーザが契約している通信事業者のネットワークに設けられた基地局との間で、無線的にデータの送受信を行うアンテナ１及び通信回路２と、受話音声，動画ファイルの音声，音楽データの音声、着信音声等を得るためのスピーカ部３と、送話音声や当該携帯電話機の周囲の音声を集音するマイクロホン部４と、待ち受け画像，電話帳，アドレス帳，スケジュール帳、送受信した携帯メールの文章等を表示するための表示部５と、入力操作を行うための複数のキーが設けられた操作部６と、所定の色で点滅や点灯することで電話や携帯メールの発着信等をユーザに知らせる発光部７（LED：Light Emitting Diode）とを有している。
【００２０】
また、この携帯電話機は、ユーザの所望の被写体や当該携帯電話機の周囲の撮像を行うカメラ部８と、電話や携帯メールの発着信等を、当該携帯電話機を振動させることでユーザに知らせるバイブレーションユニット９と、当該携帯電話機に対して脱着可能な外部メモリ１１が装着される外部メモリインターフェイス１０（外部メモリＩＦ）と、当該携帯電話機の現在位置を検出するＧＰＳアンテナ１２（GPS：Global Positioning System）及びＧＰＳユニット１３と、通信処理プログラム（コミュニケーションプログラム）の他、後述する緊急処理プログラム等が記憶されたメモリ１４とを有している。
【００２１】
また、この携帯電話機は、メモリ１４に記憶されているコミュニケーションプログラムに基づいて当該携帯電話機の通信制御を行う他、後述する緊急処理モードに移行した際に、このメモリ１４に記憶されている緊急処理プログラムに基づいて緊急処理制御を行う制御部１５と、現在時刻をカウントするタイマ１８とを有している。
【００２２】
この携帯電話機の各部は、通常は、メイン電池１６から供給される電源に基づいて動作しているが、メイン電池１６が当該携帯電話機が抜き取られた場合、電源の供給源がバックアップ電池１７に切り替わり、このバックアップ電池１７から供給される電源に基づいて、当該携帯電話機の各部が動作するようになっている。
【００２３】
［緊急処理モード］
この携帯電話機の場合、緊急処理を指定する「特別なメッセージ」を受信すると、制御部１５が、メモリ１４に記憶されている緊急処理プログラムに基づく動作制御を行う「緊急処理モード」に移行するようになっている。図２のフローチャートに、この「緊急処理モード」時における当該携帯電話機の動作の流れを示す。
【００２４】
なお、上記緊急処理プログラムは、予めメモリ１４に記憶されていてもよいし、ネットワーク上のサイトからダウンロードするようにしてもよい。ネットワーク上のサイトからダウンロードすることとした場合、例えば親が自分の子供に持たせる携帯電話機にのみ、この緊急処理プログラムを適用可能とすることができる。
【００２５】
図２のフローチャートは、当該携帯電話機のメイン電源が投入されたタイミングでスタートとなる。当該携帯電話機の制御部１５は、メイン電源が投入されると、メモリ１４に記憶されているコミュニケーションプログラムに基づいて通信回路２を制御し、基地局を介して当該携帯電話機のセンターに対して位置登録を行う。これにより、センター側で当該携帯電話機の現在位置が把握され、以後、通信が可能となる。
【００２６】
次に、当該携帯電話機の制御部１５は、上記位置登録が完了すると、ステップＳ１に処理を進め、緊急処理を指定する「特別なメッセージ」の受信の有無の監視を開始する。
【００２７】
「特別なメッセージ」としては、その携帯電話機に対してヘッダ或いは本文等に緊急処理を指定するメッセージや符号を記載した携帯メールや、通信事業者のセンター側から基地局を介して送信される所定の信号等である。
【００２８】
より具体的には、例えば、この携帯電話機を持たせている子供の行方がわからなくなった場合、その子供の親は、上記特別なメッセージや符号を記載した携帯メールを作成し、その子供の携帯電話機宛に送信する。
【００２９】
或いは、この携帯電話機を持たせている子供の行方がわからなくなった場合、その子供の親或いは捜査当局は、上記特別なメッセージの送信を、当該携帯電話機の通信事業者に依頼する。この依頼を受けた通信事業者は、その携帯電話機に対して上記特別なメッセージ（＝上記所定の信号）を、センター及び基地局を介して送信する。当該携帯電話機の制御部１５は、ステップＳ１において、この特別なメッセージの受信を検出すると、メモリ１４に記憶されている緊急処理プログラムに基づいて「緊急処理モード」に移行し、処理をステップＳ２に進める。
【００３０】
この緊急処理モードに移行すると、制御部１５は、ステップＳ２において、報知処理を停止制御する。すなわち、この緊急処理モードに移行したということは、当該携帯電話機を所持しているユーザが緊急時である可能性が高い。この緊急時に、例えば電話や携帯メールの発着信通知やアラームの鳴動等を実行すると、当該携帯電話機のユーザに対して悪影響を及ぼすことが懸念される。
【００３１】
さらに具体的には、例えばこの携帯電話機を所持している子供が誘拐にあい、犯人が当該携帯電話機を所持していることに気付いていない場合も有り得る。このような場合に、発着信通知やアラームの鳴動等を実行すると、当該携帯電話機の所持を犯人に気付かれてしまうおそれがある。このため、制御部１５は、この緊急処理モードに移行すると、全ての発着信通知やアラームの鳴動等の全ての報知動作を停止制御し、当該携帯電話機を、見かけ上、着信待ちをしている状態に保持する。
【００３２】
次に、制御部１５は、タイマ１８でカウントされている現在時刻に基づいて、所定の時間のカウントを開始する。すなわち、この実施の形態の携帯電話機の場合、以下に説明する当該携帯電話機の現在位置等の情報を、例えば５分置き等の所定時間置きに、上記特別なメッセージの発信元となるユーザ（上述の例では、誘拐された子供の親）の携帯電話機或いはパーソナルコンピュータ装置や、通信事業者のセンターに対して自動的に送信するようになっている。このため、この情報の送信間隔を制御部１５が維持するために、このステップＳ３において上記所定の時間のカウントを開始する。
【００３３】
次に制御部１５は、ステップＳ４において、送信情報を作成する。具体的には、制御部１５は、ＧＰＳユニット１３を駆動して当該携帯電話機の現在位置を検出し、この現在位置情報を上記送信情報として作成する。なお、上記ＧＰＳユニット１３等で当該携帯電話機の現在位置を検出できない場合、制御部１５は、それまで通信を行っていた基地局の情報を上記送信情報として作成する。
【００３４】
または（及び）、制御部１５は、マイクロホン部４を駆動して、当該携帯電話機の周囲の音声を集音し、この音声情報を上記送信情報として作成する。または（及び）、制御部１５は、カメラ部８を駆動して、当該携帯電話機の周囲を撮像し、この画像情報を上記送信情報として作成する。
【００３５】
この例では、ＧＰＳユニット１３で当該携帯電話機の現在位置を検出することとしたが、例えば、基地局の内部に設けられた位置計測ユニットに電波が到達するまでの時間を計測することで、当該携帯電話機の現在位置を検出するＴＤＯＡ（TDOA：Time Difference of Arrival）等の他の現在位置検出技術を用いてもよい。
【００３６】
また、作成する上記送信情報としては、「現在位置情報」、「音声情報」、「画像情報」を全て作成するようにしてもよいし、これらの中から一つ或いは複数の情報を作成するようにしてもよい。
【００３７】
次に、制御部１５は、ステップＳ５において、上記ステップＳ４で作成した送信情報を送信する時刻となったか否かを判別する。すなわち、上記ステップＳ３でカウントを開始した時刻が、例えば５分等の、送信間隔に対応する時刻となったか否かを判別し、該送信情報の送信時刻となったことを検出したタイミングで処理をステップＳ６に進める。
【００３８】
次に、制御部１５は、ステップＳ６において、上記ステップＳ４で作成した送信情報を通信回路２を介して送信制御し、ステップＳ７において、それまでカウントしていた現在時刻のカウント値をリセットして処理をステップＳ３に戻す。これにより、例えば５分等の所定時間置きに、上記ステップＳ４で作成された当該携帯電話機の現在位置や、当該携帯電話機の周囲の音声等の送信情報が、当該携帯電話機を所持する子供の親の携帯電話機や通信事業者のセンターに送信されることとなり、当該携帯電話機の現在位置や周囲の状況（音声や画像）を把握することが可能となる。
【００３９】
なお、この例では、作成した情報を「所定時間置き」に送信することとしたが、これは「連続的」に送信してもよい。ただ、「所定時間置き」に送信することで「連続的」に送信する場合よりも省電力化を図ることができる。
【００４０】
〔内部情報の非表示動作〕
ここで、このような緊急処理モード時には、第三者に対して、例えば発信履歴、着信履歴等の「発着信に関する履歴」、「電話帳」、「アドレス帳」、「スケジュール帳」、当該携帯電話機の携帯電話番号や携帯メールアドレス等の「ユーザ情報」、「送受信メール」等の当該携帯電話機の内部情報を見せないようにすることが好ましい。
【００４１】
このため、制御部１５は、緊急処理を指定する「特別なメッセージ」を受信すると、上記メモリ１４に記憶されている緊急処理プログラムに基づいて、現在、表示可能となっている上記各内部情報を非表示制御する。
【００４２】
具体的には、上記各内部情報は、操作部６を介して表示指定されるのであるが、制御部１５は、この緊急処理モードに移行した場合、この表示指定操作をキャンセル処理する。すなわち、各内部情報をメモリ１４等から消去するのではなく、各内部情報をメモリ１４等に記憶したままの状態で、各内部情報の表示指定操作をキャンセル処理する。これにより、緊急処理モードに移行した場合に、第三者に当該携帯電話機の内部情報を見られる不都合を防止することができる。
【００４３】
なお、この緊急モード時には、制御部１５は、上述のように作成した情報を所定時間置きに（或いは連続的に）送信するのであるが、各送信処理毎の送信履歴はメモリ１４に記憶制御したうえで、上述のように非表示とする。
【００４４】
また、この例では、「発着信に関する履歴」、「電話帳」、「アドレス帳」、「スケジュール帳」、当該携帯電話機の携帯電話番号や携帯メールアドレス等の「ユーザ情報」、「送受信メール」等を非表示制御することとしたが、このうちの一つ或いは任意のいくつかの情報を非表示制御してもよい。或いは、上記各内部情報の中からユーザにより選択設定された情報のみを非表示としてもよい。
【００４５】
また、この例では、各内部情報の表示指定操作をキャンセル処理することとしたが、メモリ１４等に記憶されている各内部情報を消去するようにしてもよい。この場合、メモリ１４等から各内部情報は消去されることとなるが、この消去処理を行うことで、第三者に各内部情報を見られる不都合を防止することができる。
【００４６】
［メイン電源のオフ操作された場合及びメイン電池が抜き取られた場合の動作］
次に、当該実施の形態の携帯電話機においては、緊急処理モードに移行すると、制御部１５が、「電源のオフ操作の有無」及び「メイン電池１６の取り外しの有無」の監視を行う。図３のフローチャートは、このような動作の流れを示している。
【００４７】
すなわち、制御部１５は、緊急処理モードに移行すると、図３のフローチャートのステップＳ１１において、電源のオフ操作の有無を、また、ステップＳ１２において、メイン電池１６の取り外しの有無をそれぞれ監視する。
【００４８】
ステップＳ１１において、電源のオフ操作が検出された場合、制御部１５は、ステップＳ１８に処理を進め、通信回路２等の「通信に必要な回路」、及びマイクロホン部４、カメラ部８及びＧＰＳユニット１３等の「送信情報の作成に必要な回路」に対する電源供給は継続した状態で、表示部５や発光部７（ＬＥＤ）を消灯制御する。これにより、当該携帯電話機は、見かけ上は、電源がオフ操作された状態となるが、通信機能や情報収集機能（上記マイクロホン部４やＧＰＳユニット１３等）は稼働している状態となる。
【００４９】
そして、制御部１５は、この見かけ上は、電源がオフ操作された状態としたうえで作成した送信情報を、図２のフローチャートを用いて説明したように、所定の時間置きに送信制御する。これにより、電源をオフ操作した者に気付かれることなく、上記現在位置等の情報を上記所定時間置きに送信し続けることができる。
【００５０】
次に、ステップＳ１２において、メイン電池１６の取り外しが検出された場合、制御部１５は、ステップＳ１３に処理を進め、当該携帯電話機の各部に対する電源供給源をメイン電池１６からバックアップ電池１７に切り替え制御して処理をステップＳ１４に進める。
【００５１】
ステップＳ１４では、制御部１５が、上記ステップＳ１８の処理と同様に、通信回路２等の「通信に必要な回路」、及びマイクロホン部４、カメラ部８及びＧＰＳユニット１３等の「送信情報の作成に必要な回路」に対する電源供給は継続した状態で、表示部５や発光部７（ＬＥＤ）を消灯制御する。これにより、当該携帯電話機は、見かけ上は、メイン電池１６が取り外された状態となるが、通信機能や情報収集機能（上記マイクロホン部４やＧＰＳユニット１３等）は稼働している状態となる。
【００５２】
ただ、メイン電池１６に比べ、バックアップ電池１７は、その容量が少ない場合が多く、通信可能時間も短くなる。このため、制御部１５は、ステップＳ１５において、作成する情報を、消費電力が少ない情報に切り替えると共に、ステップＳ１６において、この切り替えた情報を作成するのに要する電力と、バックアップ電池１７の残量とに基づいて通信可能時間を算出する。そして、ステップＳ１７において、「メイン電池が取り外された旨のメッセージ」と、上記算出した「通信可能時間を示す情報」とを送信制御する。
【００５３】
このステップＳ１５〜ステップＳ１７の処理を詳述する。例えば、メイン電池１６の取り外しが検出されるまでは、ＧＰＳユニット１３、マイクロホン部４及びカメラ部８に電力を供給し、ＧＰＳユニット１３で検出された現在位置と共に、マイクロホン部４で集音された当該携帯電話機の周囲の音声情報、及びカメラ部８で撮像された当該携帯電話機の周囲の画像を送信していたとすると、制御部１５は、メイン電池１６が取り外されたことを検出したタイミングで、例えばマイクロホン部４及びカメラ部８に供給する電力を停止制御し、電力を供給する回路をＧＰＳユニット１３のみに限定する。さらに、制御部１５は、このＧＰＳユニット１３に対しても、情報を作成するタイミングでのみ電力を供給することで、該ＧＰＳユニット１３を間欠的に動作させて省電力化を図る。
【００５４】
また、制御部１５は、このような省電力化と共に、バックアップ電池１７の現在の電圧値に基づいて電池残量を検出し、この検出した電池残量と、上記現在位置情報を作成及び送信するのに要する電力とに基づいて「通信可能時間」を算出すると共に、メモリ１４に記憶されている「メイン電池が取り外された旨のメッセージ」を読み出す。
【００５５】
制御部１５は、この算出した「通信可能時間」を示す情報と、メモリ１４から読み出した「メイン電池が取り外された旨のメッセージ」とを、当該携帯電話機を所持する子供の親の携帯電話機や通信事業者のセンターに送信する。そして、以後、バックアップ電池１７の電力が続く限り、上記現在位置情報等の限定された情報を図２のフローチャートを用いて説明したように、所定時間置きに送信し続ける。
【００５６】
これにより、メイン電池１６が取り外された場合に、見かけ上は、メイン電池１６が取り外された状態となるが、通信機能や限定された情報収集機能（上記ＧＰＳユニット１３）を稼働させて情報を作成して送信し続けることができる。このため、メイン電池１６を取り外した者に気付かれることなく、上記現在位置等の情報を上記所定時間置きに送信し続けることができ、当該携帯電話機を所持する子供の親や上記センター側で、当該携帯電話機の現在位置等を把握し続けることができる。
【００５７】
［実施の形態の効果］
以上の説明から明らかなように、この実施の形態の携帯電話機は、緊急処理を指定する「特別なメッセージ」を受信したタイミングで、制御部１５が、メモリ１４に記憶されている緊急処理プログラムに基づいて「緊急処理モード」に移行する。制御部１５は、緊急処理モードに移行すると、着信音やバイブレーションユニット９を鳴動する等の発着信処理を停止制御すると共に、現在位置等の所定の送信情報を作成し、これを上記「特別なメッセージ」の送信元や通信事業者のセンター等に、所定時間置き或いは連続的に送信する。
【００５８】
これにより、「特別なメッセージ」で携帯電話機を遠隔操作的に「緊急処理モード」に移行させ、自動的に現在位置等の情報を送信させることができる。このため、「特別なメッセージ」の送信元となるユーザは、該「特別なメッセージ」の着信先となるユーザの携帯電話機の現在位置等を、間欠的或いは連続的に把握可能とすることができる。
【００５９】
また、この実施の形態の携帯電話機は、緊急処理モード中に電源のオフ操作を検出した場合、通信回路２等の「通信に必要な回路」、及びマイクロホン部４、カメラ部８及びＧＰＳユニット１３等の「送信情報の作成に必要な回路」に対する電源供給は継続した状態で、表示部５や発光部７（ＬＥＤ）を消灯制御する。これにより、見かけ上は、電源がオフ操作された状態としたうえで、通信機能や情報収集機能（上記マイクロホン部４やＧＰＳユニット１３等）を稼働させて情報の送信を継続することができる。このため、電源をオフ操作した者に気付かれることなく、上記現在位置等の情報を送信し続けることができる。従って、例えば当該携帯電話機を所持した子供の誘拐事件の早期解決等に大きく貢献することができる。
【００６０】
また、この実施の形態の携帯電話機は、緊急処理モード中に、「発着信に関する履歴」、「電話帳」、「アドレス帳」、「スケジュール帳」、当該携帯電話機の携帯電話番号や携帯メールアドレス等の「ユーザ情報」、「送受信メール」等の内部情報の表示指定操作がなされた場合、この表示指定操作をキャンセル処理する。これにより、緊急処理モード中に、第三者に当該携帯電話機の内部情報を見られる不都合を防止することができる。
【００６１】
また、この実施の形態の携帯電話機は、緊急処理モード中にメイン電池の取り外しを検出した場合、表示部５や発光部７（ＬＥＤ）を消灯制御して、見かけ上は、メイン電池１６が取り外された状態としたうえで、電力供給源をバックアップ電池１７に切り替える。そして、例えばマイクロホン部４及びカメラ部８に供給する電力を停止制御し、ＧＰＳユニット１３のみに電力を供給する。これにより、最低限の情報のみ作成するようにして消費電力の削減を図ることができる。また、このＧＰＳユニット１３に対しても、情報を作成するタイミングでのみ電力を供給する。これにより、ＧＰＳユニット１３を必要なときのみ間欠的に動作させることができ、さらなる消費電力の削減を図ることができる。
【００６２】
また、この実施の形態の携帯電話機は、電力供給源をバックアップ電池１７に切り替えた際に、情報の作成に要する電力と、バックアップ電池１７の残量とに基づいて通信可能時間を算出し、この「通信可能時間を示す情報」と、「メイン電池が取り外された旨のメッセージ」とを送信する。これにより、当該携帯電話機からの情報を受信している者は、メイン電池が取り外された事実を認識することができ、また、以後の通信可能時間を認識することができる。
【００６３】
［変形例］
上述の実施の形態の説明では、本発明を携帯電話機に適用することとしたが、本発明は、この他、ＰＨＳ電話機（Personal Handyphone System），無線通信機能を有するＰＤＡ装置（Personal Digital Assistant）、或いは無線通信機能を有するノート型のパーソナルコンピュータ装置等の他の携帯端末装置に適用してもよい。
【００６４】
最後に、上述の実施の形態は本発明の一例である。このため、本発明は、上述の実施の形態に限定されることはなく、該実施の形態以外であっても、本発明に係る技術的思想を逸脱しない範囲であれば、設計等に応じて種々の変更が可能であることは勿論であることを付け加えておく。
【図面の簡単な説明】
【００６５】
【図１】本発明を適用した実施の形態となる携帯電話機のブロック図である。
【図２】実施の形態となる携帯電話機の緊急処理モード時の動作を示すフローチャートである。
【図３】実施の形態の携帯電話機の緊急処理モード時における、電源オフ操作がなされた際、及びメイン電池が取り外された際の動作を示すフローチャートである。
【符号の説明】
【００６６】
１  アンテナ、２  通信回路、３  スピーカ部、４  マイクロホン部、５  表示部、６  操作部、７  発光部（ＬＥＤ）、８  カメラ部、９  バイブレーションユニット、１０  外部メモリインターフェイス、１１  外部メモリ、１２  ＧＰＳユニットのアンテナ、１３  ＧＰＳユニット、１４  メモリ、１５  制御部、１６  メイン電池、１７  バックアップ電池、１８  タイマ
【図１】
2006262255.tif 000003
【図２】
2006262255.tif 000004
【図３】
2006262255.tif 000005